(57)【特許請求の範囲】
【請求項１】
第１および第２表示領域と、
前記第１および第２表示領域のそれぞれに対する入力を受け付ける第１および第２入力受付領域と、
前記第１および第２表示領域の表示を制御するとともに、前記第１および第２入力受付領域を制御する制御部と、を備えた電子機器であって、
前記制御部は、
文字入力が可能なアプリケーションを起動させて文字入力を行う場合に、前記第１表示領域に、入力された文字列を表示する第１表示エリアを起動し、外部からの指示に応じて前記第２表示領域に、前記第１表示エリアの前記文字列の編集のための第２表示エリアと、文字入力のための第３表示エリアを起動し、
前記第１表示エリアは前記第１入力受付領域を介しての操作を受け、前記第２および第３表示エリアは、前記第２入力受付領域を介しての操作を受け付け、
前記第２表示エリアは、
編集用文字列の入力を受けてそれを表示し、
前記制御部は、
前記第２表示エリアがドラッグにより前記第１表示エリア上に移動された場合、前記第２表示エリアで表示される前記編集用文字列を前記文字列に追記することを特徴とする、電子機器。
【請求項２】
前記制御部は、
前記第２表示領域に前記第２表示エリアを複数起動し、それぞれの前記第２表示エリアがドラッグにより移動して相互に重ねられた場合、上に位置する前記第２表示エリアに表示された前記編集用文字列を、下に位置する前記第２表示エリアに表示された前記文字列に追記する、請求項１記載の電子機器。
【請求項３】
前記制御部は、
前記第２表示エリアを所定の方向へフリックする入力が受け付けられた場合、前記第２表示領域から前記第２表示エリアを消去する、請求項１記載の電子機器。
【請求項４】
第１および第２表示領域と、
前記第１および第２表示領域のそれぞれに対する入力を受け付ける第１および第２入力受付領域と、
前記第１および第２表示領域の表示を制御するとともに、前記第１および第２入力受付領域を制御する制御部と、を備えた電子機器であって、
前記制御部は、
文字入力が可能なアプリケーションを起動させて文字入力を行う場合に、前記第１表示領域に、入力された文字列を表示する第１表示エリアを起動し、外部からの指示に応じて前記第２表示領域に、前記第１表示エリアの前記文字列の編集のための第２表示エリアと、文字入力のための第３表示エリアを起動し、
前記第１表示エリアは前記第１入力受付領域を介しての操作を受け、前記第２および第３表示エリアは、前記第２入力受付領域を介しての操作を受け付け、
前記制御部は、
前記第１表示エリアの前記文字列の何れかの部分が入力操作を受けた場合に、前記第２表示エリアを起動し、前記第２表示エリアには、前記文字列の入力操作を受けた部分の文字とその周辺の文字を編集用文字列として表示し、
前記第２表示エリアは、
前記編集用文字列に対する前記外部からの編集操作を受け付けることを特徴とする、電子機器。
【請求項５】
前記制御部は、
前記第２表示エリアにおいて前記編集用文字列が入力操作を受けた場合に、前記編集用文字列の入力操作を受けた部分を前記編集操作の選択範囲とする、請求項４記載の電子機器。
【請求項６】
前記制御部は、
前記第２表示エリアにおいて、前記第１表示エリアの前記文字列の入力操作を受けた部分に前記編集操作による文字入力を受け付ける、請求項４記載の電子機器。
【請求項７】
第１および第２表示領域と、
前記第１および第２表示領域のそれぞれに対する入力を受け付ける第１および第２入力受付領域と、
前記第１および第２表示領域の表示を制御するとともに、前記第１および第２入力受付領域を制御する制御部と、を備えた電子機器であって、
前記制御部は、
文字入力が可能なアプリケーションを起動させて文字入力を行う場合に、前記第１表示領域に、入力された文字列を表示する第１表示エリアを起動し、外部からの指示に応じて前記第２表示領域に、前記第１表示エリアの前記文字列の編集のための第２表示エリアを起動し、
前記第１および第２表示エリアは、それぞれ前記第１および第２入力受付領域を介しての操作を受け付け、
前記第１表示エリアの前記文字列の何れかの部分が入力操作を受けた場合に、前記第２表示エリアを複数起動し、複数の前記第２表示エリアには、それぞれ前記文字列の入力操作を受けた部分の文字とその周辺の文字を編集用文字列として表示し、
前記第２表示エリアのそれぞれは、
前記編集用文字列において、予め定めた規則に従って外部からの編集操作の範囲選択を設定して表示することを特徴とする、電子機器。
【請求項８】
前記予め定めた規則は、
前記文字列の入力操作を受けた部分から、１文字のみを選択する規則、１単語のみを選択する規則、１文節のみを選択する規則および１文のみを選択する規則を含み、
前記制御部は、
前記予め定めた規則のそれぞれに従って、前記第２表示エリアのそれぞれの前記編集用文字列において前記編集操作の範囲選択を設定する、請求項７記載の電子機器。
【請求項９】
第１および第２表示領域と、
前記第１および第２表示領域のそれぞれに対する入力を受け付ける第１および第２入力受付領域と、
前記第１および第２表示領域の表示を制御するとともに、前記第１および第２入力受付領域を制御する制御部と、を備えた電子機器の制御方法であって、
文字入力が可能なアプリケーションを起動させて文字入力を行う場合に、前記第１表示領域に、入力された文字列を表示する第１表示エリアを起動させ、外部からの指示を受けて前記第２表示領域に、前記第１表示エリアの前記文字列の編集のための第２表示エリアと、文字入力のための第３表示エリアを起動させるように前記制御部により制御し、
前記第１表示エリアは前記第１入力受付領域を介しての操作を受け、前記第２および第３表示エリアは、前記第２入力受付領域を介しての操作を受け付け、前記第２表示エリアは、編集用文字列の入力を受けてそれを表示し、
前記制御部は、
前記第２表示エリアがドラッグにより前記第１表示エリア上に移動された場合、前記第２表示エリアで表示される前記編集用文字列を前記文字列に追記するように制御する、電子機器の制御方法。
【請求項１０】
第１および第２表示領域と、
前記第１および第２表示領域のそれぞれに対する入力を受け付ける第１および第２入力受付領域と、
前記第１および第２表示領域の表示を制御するとともに、前記第１および第２入力受付領域を制御する制御部と、を備えた電子機器のアプリケーションプログラムであって、
文字入力が可能なアプリケーションを起動させて文字入力を行う場合に、前記第１表示領域に、入力された文字列を表示する第１表示エリアを起動させ、外部からの指示を受けて前記第２表示領域に、前記第１表示エリアの前記文字列の編集のための第２表示エリアと、文字入力のための第３表示エリアを起動させるように前記制御部を機能させ、
前記第１表示エリアは前記第１入力受付領域を介しての操作を受け、前記第２および第３表示エリアは、前記第２入力受付領域を介しての操作を受け付け、前記第２表示エリアは、編集用文字列の入力を受けてそれを表示し、
前記第２表示エリアがドラッグにより前記第１表示エリア上に移動された場合、前記第２表示エリアで表示される前記編集用文字列を前記文字列に追記するように前記制御部を機能させる電子機器のアプリケーションプログラム。
【請求項１１】
第１および第２表示領域と、
前記第１および第２表示領域のそれぞれに対する入力を受け付ける第１および第２入力受付領域と、
前記第１および第２表示領域の表示を制御するとともに、前記第１および第２入力受付領域を制御する制御部と、を備えた電子機器のアプリケーションプログラムであって、
文字入力が可能なアプリケーションを起動させて文字入力を行う場合に、前記第１表示領域に、入力された文字列を表示する第１表示エリアを起動させ、外部からの指示を受けて前記第２表示領域に、前記第１表示エリアの前記文字列の編集のための第２表示エリアと、文字入力のための第３表示エリアを起動させるように前記制御部を機能させ、
前記第１表示エリアは前記第１入力受付領域を介しての操作を受け、前記第２および第３表示エリアは、前記第２入力受付領域を介しての操作を受け付け、
前記第１表示エリアの前記文字列の何れかの部分が入力操作を受けた場合に、前記第２表示エリアを起動し、前記第２表示エリアには、前記文字列の入力操作を受けた部分の文字とその周辺の文字を編集用文字列として表示し、前記第２表示エリアは、前記編集用文字列に対する前記外部からの編集操作を受け付けるように前記制御部を機能させる電子機器のアプリケーションプログラム。
【発明の詳細な説明】
【技術分野】
【０００１】
本発明は、電子機器、電子機器の制御方法および電子機器のアプリケーションプログラムに関し、特に、携帯性を有する電子機器と、その制御方法およびアプリケーションプログラムに関する。
【背景技術】
【０００２】
例えばスマートフォン形式の携帯電話機では、タッチパネルに表示したソフトウェアキーボードにより文字入力を行うことが可能であるとともに、タッチパネルに指でタッチすることで、種々のアプリケーション（アプリ）を選択し、起動させることが可能である。
【０００３】
そのアプリケーションには、例えば、電子メールを作成するメーラーやメモ帳などの、文字入力を行うアプリケーションなどが含まれている。このような文字入力を行うアプリケーションでは、編集機能として、コピーや切り取り、貼り付けや削除などの機能を有しており、作成した単語や文章をコピーして別の部分に貼り付けることが容易にできるように構成されている。
【０００４】
この場合、入力フィールドに表示された文章のうち、例えばコピーしたい単語や文章をタッチパネル上から指でなぞることで、タッチパネルの機能によりコピー領域が指定され、指定したコピー領域の単語や文章が、所定の記憶装置等に記憶される。そして、記憶された単語や文章は、貼り付けの機能により読み出して、文章中の所望の場所に貼り付けることができる。
【０００５】
また、特許文献１には、指定したコピー領域をクリップボードと呼称されるデータの一時保存領域に保存し、当該クリップボードを表示画面上に可視化して表示させることで、クリップボードに保存された複数の単語や文章から、所望の単語や文章を選択するという構成が開示されている。
【先行技術文献】
【特許文献】
【０００６】
【特許文献１】特開２００９−２０５３０４号公報
【発明の概要】
【発明が解決しようとする課題】
【０００７】
上述したように、従来は、表示画面上に可視化して表示されたクリップボードから、所望の単語や文章を選択するという構成を採ることで、文字入力を行うアプリケーションに対する便宜を図っていたが、クリップボードはデータを一時的に保存する機能に過ぎず、複雑な編集作業等を行うことはできなかった。
【０００８】
本発明は上記のような問題点を解消するためになされたもので、文字入力を行うアプリケーションの操作性の良い電子機器を提供することを目的とする。
【課題を解決するための手段】
【０００９】
上記課題を解決するため、本発明に係る電子機器は、第１および第２表示領域と、前記第１および第２表示領域のそれぞれに対する入力を受け付ける第１および第２入力受付領域と、前記第１および第２表示領域の表示を制御するとともに、前記第１および第２入力受付領域を制御する制御部とを備えた電子機器であって、前記制御部は、文字入力が可能なアプリケーションを起動させて文字入力を行う場合に、前記第１表示領域に、入力された文字列を表示する第１表示エリアを起動し、外部からの指示に応じて前記第２表示領域に、前記第１表示エリアの前記文字列の編集のための第２表示エリアと、文字入力のための第３表示エリアを起動し、前記第１表示エリアは前記第１入力受付領域を介しての操作を受け、前記第２および第３表示エリアは、前記第２入力受付領域を介しての操作を受け付け、前記第２表示エリアは、編集用文字列の入力を受けてそれを表示し、前記制御部は、前記第２表示エリアがドラッグにより前記第１表示エリア上に移動された場合、前記第２表示エリアで表示される前記編集用文字列を前記文字列に追記する。
【００１１】
本発明に係る電子機器の一態様は、前記制御部が、前記第２表示領域に前記第２表示エリアを複数起動し、それぞれの前記第２表示エリアがドラッグにより移動して相互に重ねられた場合、上に位置する前記第２表示エリアに表示された前記編集用文字列を、下に位置する前記第２表示エリアに表示された前記文字列に追記する。
【００１２】
本発明に係る電子機器の一態様は、前記制御部が、前記第２表示エリアを所定の方向へフリックする入力が受け付けられた場合、前記第２表示領域から前記第２表示エリアを消去する。
【００１３】
本発明に係る電子機器の一態様は、第１および第２表示領域と、前記第１および第２表示領域のそれぞれに対する入力を受け付ける第１および第２入力受付領域と、前記第１および第２表示領域の表示を制御するとともに、前記第１および第２入力受付領域を制御する制御部と、を備えた電子機器であって、前記制御部は、文字入力が可能なアプリケーションを起動させて文字入力を行う場合に、前記第１表示領域に、入力された文字列を表示する第１表示エリアを起動し、外部からの指示に応じて前記第２表示領域に、前記第１表示エリアの前記文字列の編集のための第２表示エリアと、文字入力のための第３表示エリアを起動し、前記第１表示エリアは前記第１入力受付領域を介しての操作を受け、前記第２および第３表示エリアは、前記第２入力受付領域を介しての操作を受け付け、前記制御部が、前記第１表示エリアの前記文字列の何れかの部分が入力操作を受けた場合に、前記第２表示エリアを起動し、前記第２表示エリアには、前記文字列の入力操作を受けた部分の文字とその周辺の文字を編集用文字列として表示し、前記第２表示エリアは、前記編集用文字列に対する前記外部からの編集操作を受け付ける。
【００１４】
本発明に係る電子機器の一態様は、前記制御部が、前記第２表示エリアにおいて前記編集用文字列が入力操作を受けた場合に、前記編集用文字列の入力操作を受けた部分を前記編集操作の選択範囲とする。
【００１５】
本発明に係る電子機器の一態様は、前記制御部が、前記第２表示エリアにおいて、前記第１表示エリアの前記文字列の入力操作を受けた部分に前記編集操作による文字入力を受け付ける。
【００１６】
本発明に係る電子機器の一態様は、第１および第２表示領域と、前記第１および第２表示領域のそれぞれに対する入力を受け付ける第１および第２入力受付領域と、前記第１および第２表示領域の表示を制御するとともに、前記第１および第２入力受付領域を制御する制御部と、を備えた電子機器であって、前記制御部は、文字入力が可能なアプリケーションを起動させて文字入力を行う場合に、前記第１表示領域に、入力された文字列を表示する第１表示エリアを起動し、外部からの指示に応じて前記第２表示領域に、前記第１表示エリアの前記文字列の編集のための第２表示エリアを起動し、前記第１および第２表示エリアは、それぞれ前記第１および第２入力受付領域を介しての操作を受け付け、前記第１表示エリアの前記文字列の何れかの部分が入力操作を受けた場合に、前記第２表示エリアを複数起動し、複数の前記第２表示エリアには、それぞれ前記文字列の入力操作を受けた部分の文字とその周辺の文字を編集用文字列として表示し、前記第２表示エリアのそれぞれは、前記編集用文字列において、予め定めた規則に従って外部からの編集操作の範囲選択を設定して表示する。
【００１７】
本発明に係る電子機器の一態様は、前記予め定めた規則が、前記文字列の入力操作を受けた部分から、１文字のみを選択する規則、１単語のみを選択する規則、１文節のみを選択する規則および１文のみを選択する規則を含み、前記制御部は、前記予め定めた規則のそれぞれに従って、前記第２表示エリアのそれぞれの前記編集用文字列において前記編集操作の範囲選択を設定する。
【００１８】
本発明に係る電子機器の制御方法は、第１および第２表示領域と、前記第１および第２表示領域のそれぞれに対する入力を受け付ける第１および第２入力受付領域と、前記第１および第２表示領域の表示を制御するとともに、前記第１および第２入力受付領域を制御する制御部とを備えた電子機器の制御方法であって、文字入力が可能なアプリケーションを起動させて文字入力を行う場合に、前記第１表示領域に、入力された文字列を表示する第１表示エリアを起動させ、外部からの指示を受けて前記第２表示領域に、前記第１表示エリアの前記文字列の編集のための第２表示エリアと、文字入力のための第３表示エリアを起動させるように前記制御部により制御し、前記第１表示エリアは前記第１入力受付領域を介しての操作を受け、前記第２および第３表示エリアは、前記第２入力受付領域を介しての操作を受け付け、前記第２表示エリアは、編集用文字列の入力を受けてそれを表示し、前記制御部は、前記第２表示エリアがドラッグにより前記第１表示エリア上に移動された場合、前記第２表示エリアで表示される前記編集用文字列を前記文字列に追記するように制御する。
【００１９】
本発明に係る電子機器のアプリケーションプログラムは、第１および第２表示領域と、前記第１および第２表示領域のそれぞれに対する入力を受け付ける第１および第２入力受付領域と、前記第１および第２表示領域の表示を制御するとともに、前記第１および第２入力受付領域を制御する制御部とを備えた電子機器のアプリケーションプログラムであって、文字入力が可能なアプリケーションを起動させて文字入力を行う場合に、前記第１表示領域に、入力された文字列を表示する第１表示エリアを起動させ、外部からの指示を受けて前記第２表示領域に、前記第１表示エリアの前記文字列の編集のための第２表示エリアと、文字入力のための第３表示エリアを起動させるように前記制御部を機能させ、前記第１表示エリアは前記第１入力受付領域を介しての操作を受け、前記第２および第３表示エリアは、前記第２入力受付領域を介しての操作を受け付け、前記第２表示エリアは、編集用文字列の入力を受けてそれを表示し、前記第２表示エリアがドラッグにより前記第１表示エリア上に移動された場合、前記第２表示エリアで表示される前記編集用文字列を前記文字列に追記するように前記制御部を機能させる。
【発明の効果】
【００２０】
本発明に係る電子機器によれば、文字入力を行うアプリケーションの操作性を向上した電子機器を得ることができる。
【図面の簡単な説明】
【００３１】
【図１】本発明に係る実施の形態の携帯無線端末の閉じた状態の外観を示す斜視図である。
【図２】本発明に係る実施の形態の携帯無線端末の閉じた状態の外観を示す斜視図である。
【図３】本発明に係る実施の形態の携帯無線端末の開いた状態の外観を示す斜視図である。
【図４】本発明に係る実施の形態の携帯無線端末の開いた状態の外観を示す斜視図である。
【図５】本発明に係る実施の形態の携帯無線端末の電気的な構成を示す図である。
【図６】本発明に係る実施の形態の携帯無線端末の開いた状態を示す平面図である。
【図７】実施の形態１に係る携帯無線端末の文字入力動作を説明する図である。
【図８】実施の形態１に係る携帯無線端末の文字入力動作を説明する図である。
【図９】実施の形態１に係る携帯無線端末の文字入力動作を説明する図である。
【図１０】実施の形態１に係る携帯無線端末の文字入力動作を説明する図である。
【図１１】実施の形態１に係る携帯無線端末の文字入力動作を説明する図である。
【図１２】実施の形態１に係る携帯無線端末の文字入力動作を説明するフローチャートである。
【図１３】実施の形態２に係る携帯無線端末の文字入力動作を説明する図である。
【図１４】実施の形態２に係る携帯無線端末の文字入力動作を説明する図である。
【図１５】実施の形態２に係る携帯無線端末の文字入力動作を説明するフローチャートである。
【図１６】実施の形態３に係る携帯無線端末の文字入力動作を説明する図である。
【図１７】実施の形態３に係る携帯無線端末の文字入力動作を説明するフローチャートである。
【図１８】実施の形態４に係る携帯無線端末の文字入力動作を説明する図である。
【図１９】実施の形態４に係る携帯無線端末の文字入力動作を説明するフローチャートである。
【図２０】変形例に係る携帯無線端末の文字入力動作を説明する図である。
【図２１】変形例に係る携帯無線端末の文字入力動作を説明する図である。
【発明を実施するための形態】
【００３２】
以下、本発明に係る電子機器の実施の形態１〜３について説明するが、２画面の表示部に、それぞれタッチパネルを有する開閉式の携帯無線端末により本発明を実現する例について説明するものとし、まず、当該携帯無線端末の装置構成について説明する。
【００３３】
＜外観構成＞
図１および図２は、本発明を実現する携帯無線端末１００の外観形状を示す図であり、図１は、携帯無線端末１００を閉じた状態で第１筐体１０側から見た場合の図であり、図２は、携帯無線端末１００を閉じた状態で第２筐体２０側から見た場合の図である。
【００３４】
ここで、閉じた状態とは、図１および図２に示すように、第１表示部１１が露出した状態で、第１筐体１０と第２筐体２０とが互いに重なるように配置された状態である。この場合、第１筐体１０の第１表示部１１と、第２筐体２０の第２表示部１２（図３）とは、間を開けて重なり合った状態となるので、両者のなす角度は０度と言うことができる。
【００３５】
また、図３および図４は、携帯無線端末１００を開いた状態で第１表示部１１および第２表示部１２側から見た場合の図であり、図３は、第１表示部１１および第２表示部１２が同一平面を構成するように完全に開いた状態を示し、図３は、第１表示部１１および第２表示部１２が、１８０度よりも小さい角度をなすように所定の角度で開いた状態を示している。
【００３６】
ここで、開いた状態とは、図３および図４に示すように、第１筐体１０の第１表示部１１と、第２筐体２０の第２表示部１２とが、０度よりも大きい角度をなすように第１筐体１０と第２筐体２０とが配置された状態を指し、図３および図４に示す状態に移行する途中の状態も開いた状態と言う。
【００３７】
図１〜図４に示されるように、第１筐体１０と第２筐体２０とは、ヒンジ部４およびアーム部５を介して連結されており、第２筐体２０側に設けられたヒンジ部４は、アーム部５を第２筐体２０に対して、角度変更可能に連結しており、アーム部５に第１筐体１０が角度変更可能に連結している。これにより、図１に示されるように、第１筐体１０が第１表示部１１を露出させた状態で第２筐体２０上に位置する状態から、図３に示されるように、第１筐体１０の第１表示部１１と、第２筐体２０の第２表示部１２とが同一平面を構成するように、第１筐体１０を移動させることが可能となる。
【００３８】
ここで、ヒンジ部４およびアーム部５の構成について説明する。図３に示すように、第２筐体２０は、その外面がフロントケース２１およびリアケース２２を組み合わせて構成されている。第２側筐体２０は、フロントケース２１側に、第２表示部１２を有するとともに、図２に示すように、ヒンジ部４と、ヒンジ部４を回転軸方向両側から把持する第１把持部４ａおよび第２把持部４ｂを有している。この、第１把持部４ａおよび第２把持部４ｂの回転軸方向外側には、それぞれ第１アーム５ａおよび第２アーム５ｂがヒンジ部４の回転軸に同軸をなすように係合している。なお、第１アーム５ａおよび第２アーム５ｂは図示されないビーム（梁）と一体をなし、第１アーム５ａ、第２アーム５ｂおよびビームを含んでアーム部５が構成されている。
【００３９】
第１筐体１０は、第１表示部１１を有するフロントケース１と、第１表示部１１が設けられた面とは反対の面（これを裏面と呼称する）を有するリアケースとを組み合わせて構成されており、図視されないビームは、第１筐体１０のリアケース側において、第１筐体１０の長手方向に延在するように設けられている。
【００４０】
第１アーム５ａおよび第２アーム５ｂの、第１把持部４ａおよび第２把持部４ｂとの係合部とは反対側の部分は、第１筐体１０の裏面において第１筐体１０と係合するが、当該係合部分は第１筐体１０を回動可能に構成されることで、第１筐体１０が角度変更可能となっている。
【００４１】
なお、第１筐体１０には、音声入力部としてのマイク１９や音声出力部としてのスピーカ１８が格納されており、マイク１９およびスピーカ１８は、第１表示部１１が露出する面の長手方向の両端部近傍に設けられている。
【００４２】
また、第１表示部１１および第２表示部１２は、それぞれタッチパネル機能を有しており、その機能は携帯無線端末１００内部の電気的な構成によって実現される。
【００４３】
＜内部構成＞
図５は携帯無線端末１００の内部構成を示すブロック図である。図５に示されるように、携帯無線端末１００は、第１表示部１１、第２表示部１２、音声入力部（マイク）１９、音声出力部（スピーカ）１８、制御部１３０、情報記憶部１４０、無線通信部１３１、第１タッチパネル１２３および第２タッチパネル１２４を備えている。なお、制御部１３０および無線通信部１３１は、例えば第２筐体２０内に収められている。
【００４４】
制御部１３０は、ＣＰＵ１３０ａおよび記憶部１３０ｂ等を備えており、携帯無線端末１００の他の構成要素を制御することによって、携帯無線端末１００の動作を統括的に管理する。なお、後に説明する文字入力を行うアプリケーションは、記憶部１３０ｂに格納されたアプリケーションプログラムをＣＰＵ１３０ａで実行することで動作する。
【００４５】
記憶部１３０ｂは、ＲＯＭおよびＲＡＭ等で構成されている。制御部１３０の各種機能は、ＣＰＵ１３０ａが記憶部１３０ｂ内の各種プログラムを実行することによって実現され、また、携帯無線端末１００で使用されるアプリケーションプログラム（アプリ）も格納されており、ユーザーが選択するアプリケーションプログラムを読み出してＣＰＵ１３０ａで実行する。なお、アプリケーションプログラムを格納する記憶部は、制御部１３０の外部に設けても良い。
【００４６】
また、情報記憶部１４０はアプリケーションプログラム（例えば、メーラー）で使用するメールデータを始めとする情報等を記憶する。ＣＰＵ１３０ａが実行するアプリケーションプログラムで使用する情報は、情報記憶部１４０から読み出され、また、書き込まれる。
【００４７】
無線通信部１３１は、携帯無線端末１００とは別の携帯無線端末や、インターネットに接続されたＷｅｂサーバ等の通信装置からの無線信号をアンテナ１３１ａで受信し、受信信号に対して増幅処理やダウンコンバートを行って制御部１３０に出力する。また無線通信部１３１は、制御部１３０で生成された送信信号に対してアップコンバートや増幅処理を行って、処理後の送信信号を、アンテナ１３１ａを通じて、携帯無線端末１００とは別の携帯無線端末や、インターネットに接続された通信装置に対して無線送信する。
【００４８】
音声入力部１９は、外部から入力される音声を音声データに変換して制御部１３０に出力する。音声出力部１８は、制御部１３０からの音声データを音声に変換して外部に出力する。
【００４９】
第１表示部１１および第２表示部１２は、制御部１３０によって制御されることによって、文字、記号、図形などの各種情報を表示する。
【００５０】
また、第１タッチパネル１２３および第２タッチパネル１２４は、それぞれ第１表示部１１および第２表示部１２のタッチパネル機能を実現するための構成を表している。第１表示部１１は、第１タッチパネル１２３を有しており、第１タッチパネル１２３によるタッチパネル機能を介して、ユーザーの指による操作を検出して制御部１３０に出力する。第２表示部１２は、第２タッチパネル１２４を有しており、第２タッチパネル１２４によるタッチパネル機能を介して、ユーザーの指による操作を検出して制御部１３０に出力する。なお、上記ではタッチパネルに対してユーザーが指により操作を行うこととしたが、指に限らず、予め定められたタッチパネルに入力可能なペンやスライタスにより入力することとしても良い。
【００５１】
なお、以下においてタップとは、タッチパネルに対してユーザーが指でタッチした後、所定時間内（例えば２秒未満）にタッチパネルから指を離す操作を指す。
【００５２】
また、ロングタップとは、ユーザーがタッチパネルの所定時間以上（例えば２秒以上）指を接触させた後にタッチパネルから指を離す操作を指す。
【００５３】
また、フリックとはタッチパネルにタッチした指を払う操作、つまりタッチパネル上で指を所定速度以上で所定距離移動させる操作を指し、ドラッグ＆ドロップとは、ユーザーがタッチパネル上に指を接触させたまま指を移動させ、目的位置で指を離す操作を指す。なお、以上の操作をタッチ操作と総称する。
【００５４】
＜表示例＞
図６は、ＣＰＵ１３０ａが、記憶部１３０ｂ内の待ち受け画面のプログラムを実行することで、第１表示部１１および第２表示部１２上に、待ち受け画面を表示した状態を示している。
【００５５】
なお、この状態は携帯無線端末１００を第１表示部１１および第２表示部１２が同一平面を構成するように開いた状態で、第１筐体１０および第２筐体２０の長辺が水平となり、第２表示部１２が設けられた第２筐体２０が下側、第１表示部１１が設けられた第１筐体１０が上側となるように使用している。
【００５６】
また、第１表示部１１のマイク１９が設けられた側の短辺の外側には、第１タッチパネル１２３により実現される複数のソフトウェアキーが表示される構成となっている。図６の例では、現在表示している画面より１つ前の画面を表示するバックキー１１１、各画面に対応したオプションメニューを表示させるメニューキー１１２およびホーム画面に戻るホームキー１１３を表示している。これらのキーは、第２表示部１２においてもバックキー１２１、メニューキー１２２およびホームキー１２３として第２タッチパネル１２４により実現される。なお、バックキー１１１、メニューキー１１２およびホームキー１１３は、携帯無線端末１００を閉じた状態で使用する場合に機能し、バックキー１２１、メニューキー１２２およびホームキー１２３は、携帯無線端末１００を開いた状態で使用する場合に機能するように構成されている。
【００５７】
＜実施の形態１＞
次に、図７〜図１２を用いて、実施の形態１に係る携帯無線端末１００の文字入力動作について説明する。
【００５８】
なお、以下においては、携帯無線端末１００を図６に示したように、第１表示部１１および第２表示部１２が同一平面を構成するように開いた状態で使用するものとして説明するが、図においては簡略化して示すものとする。
【００５９】
図７の（ａ）には、図６に示した待ち受け画面から、文字入力が可能なアプリケーションとしてメーラーを起動させて、第１表示部１１および第２表示部１２上に、それぞれメール作成画面およびソフトウェアキーボード画面を表示した状態を示している。
【００６０】
図７の（ａ）においては、ソフトウェアキーボード１０２から文字入力を行い、入力した文字が入力フィールド１０１に表示された状態を示している。
【００６１】
この状態で、後続の文章の入力を入力フィールド１０１に直接行うのではなく、メモパレットに一旦入力し、後に、入力フィールド１０１に入力済みの文章に追記する方法を採る場合、メニューキー１２２（図６）をタップすることで、図７の（ｂ）に示されるように、第２表示部１２上のソフトウェアキーボード１０２の一部に重なるように機能選択画面１０３が表示される。
【００６２】
機能選択画面１０３は、メモパレットを起動するNew Memo Palletキー１０２１、メモパレットを編集するEdit Memo Palletキー１０２２など、複数の機能を起動させるキーを含んでいる。
【００６３】
この機能選択画面１０３においてNew Memo Palletキー１０２１をタップすることで、図７の（ｃ）に示されるように、第２表示部１２が左右２つに分割された表示となり、一方にメモパレット１０４が起動され、他方にソフトウェアキーボード１０２が表示される。
【００６４】
ソフトウェアキーボード１０２から入力を行うと、入力された文章は、メモパレット１０４に編集用文字列として表示され、入力フィールド１０１には表示されない。
【００６５】
ここで、メモパレット１０４に文字入力を続けて文章を完成させることも可能であるが、一旦、入力を打ち切る場合や、メモパレット１０４を他人の目から隠したい場合には、図８の（ａ）に示すように、メモパレット１０４の何れかの位置を指ＦＧでタッチし、メモパレット１０４を画面外の方向にフリックすることで、メモパレット１０４が第２表示部１２から消え、図８の（ｂ）に示すように、ソフトウェアキーボード１０２が第２表示部１２全体に表示されることとなる。  この後、さらに入力を続けたい場合は、図８の（ｂ）に示す画面から、再びメニューキー１２２（図６）をタップして、図７の（ｂ）に示した機能選択画面１０３を表示させ、機能選択画面１０３のNew Memo Palletキー１０２１をタップして新たなメモパレットを表示させる。
【００６６】
以上の動作を繰り返すと、複数のメモパレットに、それぞれ文章が入力された状態となるが、それらはフリックにより非表示状態となっている。
【００６７】
非表示状態のメモパレットを表示させるには、図９の（ｂ）に示すように第２表示部１２に機能選択画面１０３が表示された画面において、Edit Memo Palletキー１０２２をタップする。これにより、図９の（ｂ）に示されるように、非表示状態にあったメモパレット１０４、１０４１および１０４２が表示される。
【００６８】
なお、入力フィールド１０１に表示される文章をタップすることで、メモパレットを編集する状態が終了し、図７の（ａ）に示すようなメーラーの画面に戻ることができる。
【００６９】
メモパレット１０４、１０４１および１０４２には、それぞれ断片的な文章が入力されているが、メモパレット間では、相互に文章の移動が可能である。例えば、図９の（ｂ）には、メモパレット１０４２をメモパレット１０４１上にドラッグ＆ドロップすることにより、メモパレット１０４２に表示される文章を、メモパレット１０４１に移動させる動作が示されている。これにより、図９の（ｃ）に示されるように、メモパレット１０４１の文章にメモパレット１０４２の文章が追記されることとなる。
【００７０】
そして、残ったメモパレット１０４、１０４１に表示される文章を、入力フィールド１０１に追記することで、一連の文章を完成させることができる。例えば、図１０の（ａ）には、メモパレット１０４１を入力フィールド１０１上にドラッグ＆ドロップすることにより、メモパレット１０４１に表示される文章を、入力フィールド１０１に移動させる動作を示している。これにより、図１０の（ｂ）に示されるように、入力フィールド１０１の文章にメモパレット１０４１の文章が追記されることとなる。
【００７１】
入力フィールド１０１への文章の追記が終わった後は、メモパレット１０４１の終了キーをタップする、あるいは入力フィールド１０１に表示される文章をタップすることで、図７の（ａ）に示すようなメーラーの画面に戻る。
【００７２】
以上説明したように、実施の形態１の携帯無線端末１００においては、一旦、複数のメモパレットに文章を断片的に入力し、断片状態の文章を繋げるという作業を行うことが可能であるので、例えば、長い文章などを作成する場合、断片的な文章をそれぞれメモパレットに入力し、それぞれ推敲を行った後に繋ぎ合わせるという作業が可能となる。
【００７３】
図１１には、以上説明した動作を経て、入力フィールド１０１に一連の文章が表示された状態から、さらに編集を行う場合を例示している。
【００７４】
例えば、図１１の（ａ）には、入力フィールド１０１の文章をロングタップすることで、第２表示部１２の全体に渡る大きさの範囲選択パレット１０５が起動し、そこにはタップした部分の文字とその周辺の文字が編集用文字列として表示された状態が示されている。この場合、範囲選択パレット１０５は入力フィールド１０１に比べて表示面積が大きく、選択された文字は、入力フィールド１０１での文字よりも拡大されて表示される。
【００７５】
また、範囲選択パレット１０５には、機能選択画面１０６も表示されており、範囲選択パレット１０５に表示された文章の編集を行うことができる。機能選択画面１０６には、例えば、範囲選択された領域をコピーするCopyキー１０６１、範囲選択された領域を切り取るCutキー１０６２、コピーまたは切り取られた領域をキャレット位置に貼り付けるPasteキー１０６３、選択された文章を削除するDeleteキー１０６４、入力フィールド１０１に表示される全文を選択するSelect allキー１０６５および直前の動作を取り消すUndoキー１０６６などを有している。
【００７６】
これらの機能選択画面１０６で選ぶことが可能な機能を用いて、範囲選択パレット１０５に表示された文章の編集を行う。
【００７７】
また、図１０の（ｂ）に示す状態から、メモパレット１０４をロングタップすることで、図１１の（ｂ）に示すように、第１表示部１１および第２表示部１２において、それぞれメモパレット１０４および範囲選択パレット１０５が起動し、範囲選択パレット１０５にはメモパレット１０４に表示された文字が拡大されて表示される。
【００７８】
図１２は、上述した動作の流れを示すフローチャートである。図１２に示すように、まず、ユーザーが携帯無線端末１００の待ち受け画面（またはアプリケーション選択画面）から文字入力が可能なアプリケーション（メーラーや、メモ帳など）を選択すると、記憶部１３０ｂから選択されたアプリケーションのプログラムが読み出され、ＣＰＵ１３０ａで実行されることで当該アプリケーションが起動する（ステップＳ１）。ここでは、図７の（ａ）に示されるようにメーラーを選択する。
【００７９】
メーラーでの文字入力において、一旦、メモパレットに文字を断片的に入力し、後に、一連の文章とする方法を採る場合、メニューキー１２２（図６）をタップする（ステップＳ２）。
【００８０】
ステップＳ２のタップによる入力が制御部１３０で受け付けられると、図７の（ｂ）に示されるように、第２表示部１２上のソフトウェアキーボード１０２の一部に重なるように機能選択画面１０３が表示され、機能選択画面１０３においてNew Memo Palletキー１０２１をタップする（ステップＳ３）。
【００８１】
ステップＳ３の処理により、図７の（ｃ）に示されるように、第２表示部１２が左右２つに分割された表示となり、一方にメモパレット１０４が表示され、他方にソフトウェアキーボード１０２が表示される。
【００８２】
この状態で、タッチパネルよりソフトウェアキーボード１０２に対する入力が制御部１３０で受け付けられると、メモパレット１０４に入力された文章が第１表示部１１に表示される（ステップＳ４）。
【００８３】
その後、必要に応じて、図８の（ａ）に示すように、メモパレット１０４を画面外にフリックし、その入力が制御部１３０で受け付けられることで、メモパレット１０４を第２表示部１２が消え（ステップＳ５）、メーラー画面が表示される（ステップＳ６）。ステップＳ２〜Ｓ６を繰り返すことで、複数のメモパレットが非表示状態となる。
【００８４】
その後、メニューキー１２２（図６）をタップし、その入力が制御部１３０で受け付けられることで図７の（ｂ）に示した機能選択画面１０３を表示する（ステップＳ７）。その後、機能選択画面１０３において、Edit Memo Palletキー１０２２をタップする（ステップＳ８）。
【００８５】
ステップＳ８の処理により、図９の（ｂ）に示されるように、非表示状態にあったメモパレット１０４、１０４１および１０４２が表示される。
【００８６】
メモパレット編集画面において、メモパレット間で断片的な文章の相互移動を行い、それを入力フィールド１０１に追記する処理を制御部１３０が受け付けることで、文章編集が実行される（ステップＳ９）。
【００８７】
文章編集が終わった後は、メモパレット１０４１の終了キー（[×]で表示）をタップする、あるいは入力フィールド１０１に表示される文章をタップする処理を制御部１３０が受け付けることで、図７の（ａ）に示すメーラー画面に戻り（ステップＳ１０）、一連の入力動作を終了する。
【００８８】
＜実施の形態２＞
次に、図１３〜図１５を用いて、実施の形態２に係る携帯無線端末１００の文字入力動作について説明する。
【００８９】
なお、以下においては、携帯無線端末１００を図６に示したように、第１表示部１１および第２表示部１２が同一平面を構成するように開いた状態で使用するものとして説明するが、図においては簡略化して示すものとする。
【００９０】
図１３の（ａ）には、図６に示した待ち受け画面から、文字入力が可能なアプリケーションとしてメーラーを起動させて、第１表示部１１および第２表示部１２上に、それぞれメール作成画面およびソフトウェアキーボード画面を表示した状態を示している。
【００９１】
また、図１３の（ａ）においては、ソフトウェアキーボード１０２から文字入力を行い、入力した文字が入力フィールド１０１に表示された状態を示している。
【００９２】
ここで、第１表示部１１に表示される入力フィールド１０１の面積は第１表示部１１と比較して小さいため、表示される文字も小さい。
【００９３】
そこで、実施の形態２に係る携帯無線端末１００においては、入力フィールド１０１における文章（原文）の編集したい領域（編集対象領域）の何れかの部分をロングタップすることで、第２表示部１２の全体に渡る大きさの範囲選択パレット１０５を起動させるように構成されている。そして、範囲選択パレット１０５には図１３の（ｂ）に示すように、ロングタップした部分の文字とその周辺の文字が編集用文字列として表示される。また、ロングタップした部分には文字の編集位置を示すためのキャレットが表示される。
【００９４】
この場合、範囲選択パレット１０５は入力フィールド１０１に比べて表示面積が大きく、選択された文字は、入力フィールド１０１での文字よりも拡大されて表示される。
【００９５】
なお、ロングタップした部分の文字とその周辺の文字を範囲選択パレット１０５に表示する機能においては、ロングタップした部分の前後の文字について、予め設定した文字数分表示させる機能でも良いし、ロングタップした部分の前後の文字について、タップしている時間中、所定間隔で１文字ずつ選択される機能としても良い。また、ロングタップした部分の前後ではなく、ロングタップした部分以降の文字が１文字ずつ選択される機能としても良い。
【００９６】
また、範囲選択パレット１０５には、機能選択画面１０６も表示されており、範囲選択パレット１０５に表示された文章の編集を行うことができる。機能選択画面１０６には、例えば、範囲選択された領域をコピーするCopyキー１０６１、範囲選択された領域を切り取るCutキー１０６２、コピーまたは切り取られた領域をキャレット位置に貼り付けるPasteキー１０６３、選択された文字列を削除するDeleteキー１０６４、入力フィールド１０１に表示される全文を選択するSelect allキー１０６５および直前の動作を取り消すUndoキー１０６６などを有している。
【００９７】
これらの機能選択画面１０６で選ぶことが可能な機能を用いて、範囲選択パレット１０５に表示された文章の編集を行う。
【００９８】
ここで、範囲選択パレット１０５に表示された文章の編集を行う場合、範囲選択パレット１０５の文字列上を指でなぞることで範囲選択を行うことができる。
【００９９】
すなわち、図１４の（ａ）に示すように、指ＦＧで範囲選択パレット１０５の文字列上で指をスライドさせることで文字列を範囲選択することができ、図１４の（ｂ）に示すように、選択された範囲は背景とは異なる色で表示され、それは入力フィールド１０１に表示される文章にも反映される。
【０１００】
このようにして文字列の範囲選択を行った後、例えば、機能選択画面１０６のCopyキー１０６１をタップすると、範囲選択された文字列がクリップボードにコピーされる。そして、コピーした文字列を貼り付けたい部分にキャレットを移動させる。このためには、入力フィールド１０１において貼り付け対象となる部分をタップすることで、その位置にキャレットが移動する。
【０１０１】
キャレットの位置を決定した後は、機能選択画面１０６のPasteキー１０６３をタップすることで、キャレットの位置を先頭としてコピーした文字列が貼り付けられる。
【０１０２】
文章編集が終わった後は、範囲選択パレット１０５の終了キー（[×]で表示）をタップすることで範囲選択パレット１０５を閉じ、図１３の（ａ）に示すメーラー画面に戻る。
【０１０３】
以上説明したように、実施の形態２の携帯無線端末１００においては、入力フィールド１０１における編集対象領域をロングタップすることで、第２表示部１２の全体に渡る大きさの範囲選択パレット１０５を起動させ、範囲選択パレット１０５にはロングタップした部分の文字とその周辺の文字が編集用文字列として拡大表示される。このため、編集対象となる文字列の文字が読みやすくなり、編集対象の範囲選択が容易となる。
【０１０４】
また、範囲選択パレット１０５は、入力フィールド１０１には重ならない領域に表示するので、指による範囲選択に際して入力フィールド１０１が指で隠されて死角ができるということがない。
【０１０５】
また、範囲選択パレット１０５は、入力フィールド１０１には重ならない領域に表示するので、入力フィールド１０１に示される文章全体を見ながらの編集が可能となる。
【０１０６】
図１５は、上述した動作の流れを示すフローチャートである。図１５に示すように、まず、ユーザーが携帯無線端末１００の待ち受け画面（またはアプリケーション選択画面）から文字入力が可能なアプリケーション（メーラーや、メモ帳など）を選択すると、記憶部１３０ｂから選択されたアプリケーションのプログラムが読み出され、ＣＰＵ１３０ａで実行されることで当該アプリケーションが起動する（ステップＳ２１）。ここでは、図１３の（ａ）に示されるようにメーラーを選択する。
【０１０７】
そして、入力フィールド１０１に文章（原文）を入力した後で、原文を編集したい場合、原文の編集対象領域をロングタップする（ステップＳ２２）。
【０１０８】
ステップＳ２２のロングタップによる入力が制御部１３０で受け付けられると、入力フィールド１０１には重ならない第２表示部１２に範囲選択パレット１０５が表示される（ステップＳ２３）。
【０１０９】
範囲選択パレット１０５に表示された文章の編集を行う場合、範囲選択パレット１０５の文字列上を指をスライドさせることで文字列を範囲選択する（ステップＳ２４）。
【０１１０】
文字列の範囲選択を行った後は、例えば、図１３の（ａ）に示される機能選択画面１０６のCopyキー１０６１をタップして、このタップが制御部１３０で受け付けられると範囲選択された文字列がクリップボードにコピーされる（ステップＳ２５）。
【０１１１】
そして、入力フィールド１０１の原文においてコピーした文字列を貼り付けたい部分にキャレットを移動させる（ステップＳ２６）。
【０１１２】
その後、機能選択画面１０６のPasteキー１０６３をタップして、このタップが制御部１３０で受け付けられると、キャレットの位置を先頭としてコピーした文字列が貼り付けられる（ステップＳ２７）。
【０１１３】
文章編集が終わった後は、範囲選択パレット１０５の終了キー（[×]で表示）をタップして、このタップが制御部１３０で受け付けられると範囲選択パレット１０５が閉じられ（ステップＳ２８）、一連の入力動作を終了する。
【０１１４】
＜実施の形態３＞
次に、図１６、図１７を用いて、実施の形態３に係る携帯無線端末１００の文字入力動作について説明する。
【０１１５】
なお、以下においては、携帯無線端末１００を図６に示したように、第１表示部１１および第２表示部１２が同一平面を構成するように開いた状態で使用するものとして説明するが、図においては簡略化して示すものとする。
【０１１６】
図１６の（ａ）には、図６に示した待ち受け画面から、文字入力が可能なアプリケーションとしてメーラーを起動させて、第１表示部１１および第２表示部１２上に、それぞれメール作成画面およびソフトウェアキーボード画面を表示した状態を示している。
【０１１７】
また、図１６の（ａ）においては、ソフトウェアキーボード１０２から文字入力を行い、入力した文字が入力フィールド１０１に表示された状態を示している。
【０１１８】
ここで、第１表示部１１に表示される入力フィールド１０１の面積は比較的小さく、表示される文字も小さい。この状態で編集を行う場合、文字が読みにくいという問題や、編集対象の範囲選択がしにくいという問題がある。
【０１１９】
そこで、実施の形態３に係る携帯無線端末１００においては、入力フィールド１０１における文章（原文）の編集したい領域（編集対象領域）の何れかの部分をロングタップすることで、図１６の（ｂ）に示されるように、第２表示部１２が左右２つに分割された表示となり、一方に範囲選択パレット１０５が起動され、他方にソフトウェアキーボード１０２が表示されるように構成されている。そして、範囲選択パレット１０５には図１６の（ｂ）に示すように、ロングタップした部分の文字とその周辺の文字が編集用文字列として表示される。また、入力フィールド１０１のロングタップした部分にはキャレットが表示される。
【０１２０】
この状態で、ソフトウェアキーボード１０２から入力を行うと、キャレット位置から文字が入力され、入力された文字は、入力フィールド１０１にも反映される。
【０１２１】
また、範囲選択パレット１０５には機能選択画面１０６も表示されており、範囲選択パレット１０５に表示された文章に対して、コピーや切り取り、貼り付けなどの編集を行うことができる。
【０１２２】
ここで、機能選択画面１０６を用いて文章の編集を行う場合、範囲選択パレット１０５の文字列上を指でなぞることで範囲選択を行うことができる。この操作は、図１４を用いて説明した操作と同じである。なお、ソフトウェアキーボード１０２の矢印キーと決定キーとで範囲選択を行っても良い。
【０１２３】
このようにして文字列の範囲選択を行った後、例えば、機能選択画面１０６のCopyキー１０６１をタップすると、範囲選択された文字列がクリップボードにコピーされる。そして、コピーした文字列を貼り付けたい部分にキャレットを移動させる。このためには、入力フィールド１０１において貼り付け対象となる部分をタップすることで、その位置にキャレットが移動する。
【０１２４】
キャレットの位置を決定した後は、機能選択画面１０６のPasteキー１０６３をタップすることで、キャレットの位置を先頭としてコピーした文字列が貼り付けられる。
【０１２５】
文章編集が終わった後は、範囲選択パレット１０５の終了キー（[×]で表示）をタップすることで範囲選択パレット１０５を閉じ、図１６の（ａ）に示すメーラー画面に戻る。
【０１２６】
以上説明したように、実施の形態３の携帯無線端末１００においては、入力フィールド１０１における編集対象領域をロングタップすることで、第２表示部１２を左右２つに分割した表示とし、一方に範囲選択パレット１０５を起動し、他方にソフトウェアキーボード１０２を表示する。このため、編集対象となる文字列の文字が読みやすくなり、編集対象の範囲選択が容易となる。
【０１２７】
また、範囲選択パレット１０５は、入力フィールド１０１には重ならない領域に表示するので、指による範囲選択に際して入力フィールド１０１が指で隠されて死角ができるということがない。
【０１２８】
また、範囲選択パレット１０５は、入力フィールド１０１には重ならない領域に表示するので、入力フィールド１０１に示される文章全体を見ながらの編集が可能となる。
【０１２９】
図１７は、上述した動作の流れを示すフローチャートである。図１７に示すように、まず、携帯無線端末１００の待ち受け画面（またはアプリケーション選択画面）から文字入力が可能なアプリケーション（メーラーや、メモ帳など）を選択すると、記憶部１３０ｂから選択されたアプリケーションのプログラムが読み出され、ＣＰＵ１３０ａで実行されることで当該アプリケーションが起動する（ステップＳ３１）。ここでは、図１６の（ａ）に示されるようにメーラーを選択する。
【０１３０】
そして、入力フィールド１０１に文章（原文）を入力した後で、原文を編集したい場合、原文の編集対象領域をロングタップする（ステップＳ３２）。
【０１３１】
ステップＳ３２のロングタップによる入力が制御部１３０で受け付けられると、入力フィールド１０１には重ならない第２表示部１２が左右２つに分割された表示となり、一方に範囲選択パレット１０５が起動し、他方にソフトウェアキーボード１０２が表示される（ステップＳ３３）。
【０１３２】
機能選択画面１０６を用いて範囲選択パレット１０５に表示された文章の編集を行う場合は、範囲選択パレット１０５の文字列上を指をスライドさせることで文字列を範囲選択する（ステップＳ３４）。このとき、文字列の選択範囲は入力フィールド１０１に表示される文章にも背景色とは異なる色で着色されて反映される。
【０１３３】
文字列の範囲選択を行った後は、例えば、図１６の（ａ）に示される機能選択画面１０６のCopyキー１０６１をタップして、このタップが制御部１３０で受け付けられると、範囲選択された文字列をクリップボードにコピーされる（ステップＳ３５）。
【０１３４】
そして、入力フィールド１０１の原文においてコピーした文字列を貼り付けたい部分にキャレットを移動させる（ステップＳ３６）。
【０１３５】
その後、機能選択画面１０６のPasteキー１０６３をタップして、このタップが制御部１３０で受け付けられると、キャレットの位置を先頭としてコピーした文字列が貼り付けられる（ステップＳ３７）。
【０１３６】
文章編集が終わった後は、範囲選択パレット１０５の終了キー（[×]で表示）をタップして、このタップが制御部１３０で受け付けられると、範囲選択パレット１０５が閉じられ（ステップＳ３８）、一連の入力動作を終了する。
【０１３７】
＜実施の形態４＞
次に、図１８、図１９を用いて、実施の形態４に係る携帯無線端末１００の文字入力動作について説明する。
【０１３８】
なお、以下においては、携帯無線端末１００を図６に示したように、第１表示部１１および第２表示部１２が同一平面を構成するように開いた状態で使用するものとして説明するが、図においては簡略化して示すものとする。
【０１３９】
図１８の（ａ）には、図６に示した待ち受け画面から、文字入力が可能なアプリケーションとしてメーラーを起動させて、第１表示部１１および第２表示部１２上に、それぞれメール作成画面およびソフトウェアキーボード画面を表示した状態を示している。
【０１４０】
また、図１８の（ａ）においては、ソフトウェアキーボード１０２から文字入力を行い、入力した文字が入力フィールド１０１に表示された状態を示している。
【０１４１】
ここで、第１表示部１１に表示される入力フィールド１０１の面積は比較的小さく、表示される文字も小さい。この状態で編集を行う場合、文字が読みにくいという問題や、編集対象の範囲選択がしにくいという問題がある。
【０１４２】
そこで、実施の形態４に係る携帯無線端末１００においては、入力フィールド１０１における文章（原文）の編集したい領域（編集対象領域）の何れかの部分をロングタップすることで、図１８の（ｂ）に示されるように、第２表示部１２に範囲選択パレット１０５１、１０５２、１０５３および１０５４を起動する。
【０１４３】
範囲選択パレット１０５１〜１０５４のそれぞれには、図１８の（ｂ）に示すように、ロングタップした部分の文字とその周辺の文字が編集用文字列として表示される。また、入力フィールド１０１のロングタップした部分にはキャレットが表示される。
【０１４４】
ここで、範囲選択パレット１０５１〜１０５４のそれぞれは、キャレット位置から、予め定めた規則に従って文字列の範囲選択がなされている。すなわち、範囲選択パレット１０５１では、キャレットの位置から１文字分が範囲選択され、範囲選択パレット１０５２では、キャレットの位置から１単語分が範囲選択され、範囲選択パレット１０５３では、キャレットの位置から１文節分が範囲選択され、範囲選択パレット１０５４では、キャレットの位置から１文が範囲選択されている。なお、選択された範囲の文字は、他の文字とは異なる色で着色されている。そして、範囲選択パレット１０５１〜１０５４の中から、編集したい部分に最も一致する範囲を選択しているものを選ぶ。
【０１４５】
ここでは、範囲選択パレット１０５２を選び、当該パレットをタップすることで、図１８の（ｃ）に示されるように、第２表示部１２が左右２つに分割された表示となり、一方に範囲選択パレット１０５が表示され、他方にソフトウェアキーボード１０２が表示される。
【０１４６】
範囲選択パレット１０５には、範囲選択パレット１０５２に表示されていた１単語分が範囲選択された文字列が表示される。なお、範囲選択パレット１０５に表示された文字列の選択範囲は、入力フィールド１０１に表示される文章にも他の文字とは異なる色で着色されて反映される。
【０１４７】
また、範囲選択パレット１０５には機能選択画面１０６も表示されており、範囲選択パレット１０５に表示された文章に対して、コピーや切り取り、貼り付けなどの編集を行うことができる。
【０１４８】
このようにして文字列の範囲選択を行った後、例えば、機能選択画面１０６のCopyキー１０６１をタップすると、範囲選択された文字列がクリップボードにコピーされる。そして、コピーした文字列を貼り付けたい部分にキャレットを移動させる。このためには、入力フィールド１０１において貼り付け対象となる部分をタップすることで、その位置にキャレットが移動する。
【０１４９】
キャレットの位置を決定した後は、機能選択画面１０６のPasteキー１０６３をタップすることで、キャレットの位置を先頭としてコピーした文字列が貼り付けられる。
【０１５０】
文章編集が終わった後は、範囲選択パレット１０５の終了キー（[×]で表示）をタップすることで範囲選択パレット１０５を閉じ、図１８の（ａ）に示すメーラー画面に戻る。
【０１５１】
以上説明したように、実施の形態４の携帯無線端末１００においては、入力フィールド１０１における編集対象領域をロングタップすることで、第２表示部１２に複数の範囲選択パレットを起動し、各範囲選択パレットのそれぞれには、キャレット位置から、予め定めた規則に従って文字列の範囲選択がなされている。このため、それらの中から、編集したい部分に最も一致する範囲を選択しているものを選ぶことで、選択範囲を指でなぞって指定するという操作が不要となり、使い勝手が良くなる。
【０１５２】
また、範囲選択パレットの何れかを選択すると、第２表示部１２が左右２つに分割された表示となり、一方に範囲選択パレット１０５を表示し、他方にソフトウェアキーボード１０２を表示するので、編集対象となる文字列の文字が読みやすくなり、編集対象の範囲選択が容易となる。
【０１５３】
また、範囲選択パレット１０５は、入力フィールド１０１には重ならない領域に表示するので、入力フィールド１０１に示される文章全体を見ながらの編集が可能となる。
【０１５４】
図１９は、上述した動作の流れを示すフローチャートである。図１９７に示すように、まず、携帯無線端末１００の待ち受け画面（またはアプリケーション選択画面）から文字入力が可能なアプリケーション（メーラーや、メモ帳など）を選択すると、記憶部１３０ｂから選択されたアプリケーションのプログラムが読み出され、ＣＰＵ１３０ａで実行されることで当該アプリケーションが起動する（ステップＳ４１）。ここでは、図１８の（ａ）に示されるようにメーラーを選択する。
【０１５５】
そして、入力フィールド１０１に文章（原文）を入力した後で、原文を編集したい場合、原文の編集対象領域をロングタップする（ステップＳ４２）。
【０１５６】
ステップＳ４２のロングタップによる入力が制御部１３０で受け付けられると、入力フィールド１０１には重ならない第２表示部１２において、複数の範囲選択パレットが起動する（ステップＳ４３）。このとき、各範囲選択パレットのそれぞれには、キャレット位置から、予め定めた規則、すなわち１文字のみを選択する規則、１単語のみを選択する規則、１文節のみを選択する規則、１文のみを選択する規則に従って文字列の範囲選択がなされている。
【０１５７】
これらの複数の範囲選択パレットの中から、編集したい部分に最も一致する範囲を選択しているものを選んで、タップを行うことで、文字列の範囲選択を行う（ステップＳ４４）。なお、範囲選択パレット１０５に表示された文字列の選択範囲は、入力フィールド１０１に表示される文章にも他の文字とは異なる色で着色されて反映される（ステップＳ４５）。
【０１５８】
文字列の範囲選択を行った後は、例えば、図１８の（ｃ）に示される機能選択画面１０６のCopyキー１０６１をタップして、このタップが制御部１３０で受け付けられると範囲選択された文字列がクリップボードにコピーされる（ステップＳ４６）。
【０１５９】
そして、入力フィールド１０１の原文においてコピーした文字列を貼り付けたい部分にキャレットを移動させる（ステップＳ４７）。
【０１６０】
その後、機能選択画面１０６のPasteキー１０６３をタップして、このタップが制御部１３０で受け付けられると、キャレットの位置を先頭としてコピーした文字列が貼り付けられる（ステップＳ４８）。
【０１６１】
文章編集が終わった後は、範囲選択パレット１０５の終了キー（[×]で表示）をタップして、このタップが制御部１３０で受け付けられると範囲選択パレット１０５を閉じられ（ステップＳ４９）、一連の入力動作を終了する。
【０１６２】
＜変形例＞
以上説明した実施の形態１〜４においては、ソフトウェアキーボードについては具体的な説明をしなかったが、一例としては、いわゆる、ＱＷＥＲＴＹ配列で文字が配列されたＱＷＥＲＴＹキーボードなどを表示させる。
【０１６３】
ＱＷＥＲＴＹ配列とは、キーボードの文字配列が、左上から順に「Ｑ」、「Ｗ」、「ＥＲ」、「Ｔ」、「Ｙ」・・と並ぶ配列であり、キーボードにおける文字配列の標準配列の１つである。
【０１６４】
図２０の（ａ）には、図６に示した待ち受け画面から、文字入力が可能なアプリケーションとしてメーラーを起動させて、第１表示部１１および第２表示部１２上に、それぞれメール作成画面およびソフトウェアキーボード画面を表示した状態を示しており、ソフトウェアキーボード画面にはＱＷＥＲＴＹキーボード１０２Ａが表示されている。
【０１６５】
この状態で、後続の文章の入力を入力フィールド１０１に直接行うのではなく、メモパレットに一旦入力し、後に、入力フィールド１０１に入力済みの文章に追記する方法を採る場合、メニューキー１２２（図６）をタップすることで、図２０の（ｂ）に示されるように、第２表示部１２上のＱＷＥＲＴＹキーボード１０２Ａの一部に重なるように機能選択画面１０３が表示される。
【０１６６】
この機能選択画面１０３においてNew Memo Palletキー１０２１をタップすることで、図２０の（ｃ）に示されるように、第２表示部１２が左右２つに分割された表示となり、一方にメモパレット１０４が起動され、他方にＱＷＥＲＴＹキーボード１０２Ｂが表示される。ＱＷＥＲＴＹキーボード１０２Ｂは、ＱＷＥＲＴＹキーボード１０２Ａを横方向に圧縮した形態を採っている。
【０１６７】
また、ＱＷＥＲＴＹキーボード１０２Ｂの代わりに、テンキーボードを表示させても良い。
【０１６８】
図２１は、ＱＷＥＲＴＹキーボードが表示された状態からテンキーボードが表示された状態になる例を示す図であり、図２１の（ａ）、（ｂ）は図２０の（ａ）、（ｂ）と同じであり、図２１の（ｂ）の機能選択画面１０３においてNew Memo Palletキー１０２１をタップすることで、図２１の（ｃ）に示されるように、第２表示部１２が左右２つに分割された表示となり、一方にメモパレット１０４が起動され、他方にテンキーボード１０２Ｃが表示される。
【符号の説明】
【０１６９】
１１  第１表示部
１２  第２表示部
１２３  第１タッチパネル
１２４  第２タッチパネル
１３０  制御部
【図１】
0005814057.tif 000002
【図２】
0005814057.tif 000003
【図３】
0005814057.tif 000004
【図４】
0005814057.tif 000005
【図５】
0005814057.tif 000006
【図６】
0005814057.tif 000007
【図７】
0005814057.tif 000008
【図８】
0005814057.tif 000009
【図９】
0005814057.tif 000010
【図１０】
0005814057.tif 000011
【図１１】
0005814057.tif 000012
【図１２】
0005814057.tif 000013
【図１３】
0005814057.tif 000014
【図１４】
0005814057.tif 000015
【図１５】
0005814057.tif 000016
【図１６】
0005814057.tif 000017
【図１７】
0005814057.tif 000018
【図１８】
0005814057.tif 000019
【図１９】
0005814057.tif 000020
【図２０】
0005814057.tif 000021
【図２１】
0005814057.tif 000022